(57)【要約】      （修正有）【課題】シェービングヘッドの前面と同様に、鼻腔および耳腔から引抜く際のこのシェービングヘッドの背面からでも毛をクリッピングすることのできるクリッパーの提供。【解決手段】可動刃６と固定刃５を伴うシェービングヘッド１を含む、鼻腔および耳腔内に生える毛の電動クリッパーにおいて、固定刃には、クリッピングすべき腔内へのシェービングヘッドの導入方向で見た場合に前面および側面上に毛の進入用スリットが備わっている電動クリッパーに関し、前記固定刃は同様に、背面上の１０本の毛の進入用スリットも備えており、シェービングヘッドをクリッピングすべき腔から引抜く際にも毛をカットできるようにしている。【選択図】図５
2018161480.tif 000002
【特許請求の範囲】
【請求項１】
可動刃（６）と固定刃（５）を伴うシェービングヘッド（１）を含む、鼻腔および耳腔内に生える毛の電動クリッパーにおいて、前記固定刃には、クリッピングすべき前記鼻腔又は前記耳腔内への前記シェービングヘッド（１）の導入方向で見た場合に前面（２）および側面（３）上に毛（７）の進入用スリットが備わっており、前記固定刃（５）が同様に、背面（４）上にも毛の進入用スリットを備え、前記シェービングヘッド（１）を前記クリッピングすべき腔から引抜く際にも前記毛をカットできるようにしていること、を特徴とする電動クリッパー。
【請求項２】
前記固定ヘッド（５）が、包括的に切頂双円錐形の形状を有すること、を特徴とする請求項１に記載のクリッパー。
【請求項３】
前記シェービングヘッド（１）が、前記可動刃（６）を前記ヘッドの前記前面（２）および背面（４）に対し押圧する唯一のバネ（８）を含んでいること、を特徴とする請求項１又は２に記載のクリッパー。
【請求項４】
前記固定刃（５）がその前面の中央に１つの開口部（１２）を含むこと、を特徴とする請求項１〜３のいずれか一項に記載のクリッパー。
【請求項５】
前記固定刃（５）がその前面の中央に１つの開口部（１２）を含むこと、および駆動用シリンダ（１１）がその側面上に１つの開口部（１３）を含むこと、を特徴とする請求項１〜４のいずれか一項に記載のクリッパー。
【請求項６】
前記固定刃（５）の前記毛の進入用スリット（７）が、半径方向と前記シェービングヘッド（１）の回転軸との関係において一定のカット角度を形成していること、を特徴とする請求項１〜５のいずれか一項に記載のクリッパー。
【請求項７】
前記固定刃（５）の毛の進入用スリット（７）が、前記前面（２）と前記背面（４）の間で前記側面（３）を通って中断無く延在していること、を特徴とする請求項１〜６のいずれか一項に記載のクリッパー。
【発明の詳細な説明】
【技術分野】
【０００１】
本発明は、鼻毛および耳毛用クリッパー（ＴＮＯ，tondeuses de poils de nez d'oreilles，刈取器）すなわち英語では「ｎｏｓｅ  ａｎｄ  ｅａｒ  ｔｒｉｍｍｅｒ」（ＮＥＴ）に関する。
【背景技術】
【０００２】
鼻毛および耳毛用クリッパー（ＴＮＯ）は今や、熟年以降鼻腔および耳のくぼみの中に生える毛の問題に直面しているユーザーにとっては周知のものである。
【０００３】
この問題に対処するために異なる解決法が提案されてきており、そのうち最初のものの１つは、ある特許文献によって提示された、ハサミ上に適応されスリットを備えて重ね合わされた２重円錐に基づく解決法であった（例えば、特許文献１参照。）。カットすべき毛は２つの円錐のスリット内に進入し、せん断作用がこれらの毛のカットを可能にする。
【０００４】
ＴＮＯはこの時期以来多くの進化を遂げてきたものの、基本的メカニズムはつねに同じであった。
【０００５】
別の特許文献には、シェーバー上に適応可能な円筒形で糸状の付属品が提示されている（例えば、特許文献２参照。）。この付属品は、鼻腔および耳腔内に容易に進入することを可能にする。
【０００６】
また、別の特許文献には、ＴＮＯという１つの機能に専ら適応され、鼻腔内に導入されるように特別に適応された回転立体の形状を有する固定ヘッドの内部で電気モーターによって駆動されるカット装置を提示している（例えば、特許文献３及び４参照。）。
【０００７】
また、別の特許文献には、異なるタイプの固定ヘッドおよび環により配置された複数の刃を伴うＴＮＯを開示している（例えば、特許文献５参照。）。
【０００８】
また、特殊な刃を用いる別の特許文献（例えば、特許文献６参照。）には、さらには、水中でＴＮＯのヘッドを回転させることにより水の吸込みによるセルフクリーニングシステムを提案する別の特許文献（例えば、特許文献７参照。）の中でも、他の改善が提案されてきた。
【０００９】
近年の改良は、回転ヘッド上の刃の特殊な位置づけを提案する別の特許文献（例えば、特許文献８参照。）およびＴＮＯのシェービングヘッドを通る洗い流し用水の特殊な流路を提案する別の特許文献（例えば、特許文献９参照。）の中で開示されている。
【００１０】
さらに最近では、別の特許文献が、刃の周りの洗い流し用液体の誘導を開示し（例えば、特許文献１０参照。）、さらに別の特許文献は、刃の特定の配置を開示し（例えば、特許文献１１参照。）、さらに別の特許文献は、グリップの延長上のロッドの両側に刃を伴うＴＮＯの軸における並進運動を開示している（例えば、特許文献１２参照。）。
【００１１】
近年の改良にも関わらず、側方刃付きクリッパー以外、技術的現状のＴＮＯは全て、概して、毛が存在する腔の進入方向で前面上でしか主として毛をカットできない丸味のついた円筒形の固定ヘッドの内部で回転する可動カット装置を有している。このタイプのＴＮＯは、固定ヘッドのスリット内への毛の進入が主として前面上と比較的わずかであるが側面上とでしか想定されていないために、腔の出口方向では事実上全くカットしない。
【先行技術文献】
【特許文献】
【００１２】
【特許文献１】米国特許第１，９７３，６３１号
【特許文献２】米国特許第２，９８７，８１８号
【特許文献３】米国特許第３，７３１，３７９号
【特許文献４】仏国特許第２４３０８２９号
【特許文献５】米国特許第４，９５８，４３２号
【特許文献６】米国特許第６，２７２，７５２号
【特許文献７】米国特許第６，０６７，７１４号
【特許文献８】欧州特許第１７４７８５８号
【特許文献９】欧州特許第１７４９６２２号
【特許文献１０】欧州特許第２２９８５１１号
【特許文献１１】欧州特許出願公開第２３０１７２８号
【特許文献１２】米国特許出願公開第２０１１／００１０９４１号
【発明の概要】
【発明が解決しようとする課題】
【００１３】
本発明は、シェービングヘッドの進入方向において前面および側面と呼ばれるシリンダの前方および／または側方の丸味ある部分上のみならず、このシェービングヘッドの後方部分上でも開口スリットを備えた特殊な幾何形状の固定ヘッドを提案することによって、進入方向におけるシェービングヘッドの前面と同様に、鼻腔および耳腔から引抜く際のこのシェービングヘッドの背面からでも毛をクリッピングすることのできるＴＮＯを提供することを、目的とする。
【課題を解決するための手段】
【００１４】
可動刃と固定刃を伴うシェービングヘッドを含む、鼻腔および耳腔内に生える毛の電動クリッパーにおいて、固定刃には、クリッピングすべき腔内へのシェービングヘッドの導入方向で見た場合に前面および側面上の毛の進入用スリットが備わっており、前記固定刃が同様に、背面上の毛の進入用スリットも備えており、シェービングヘッドをクリッピングすべき腔から引抜く際にも毛をカットできるようにしていることを特徴とする電動クリッパーを開示している。
【００１５】
本発明の好ましい実施形態は、以下の特徴の少なくとも１つまたはこれらのいずれかの適切な組み合わせを含んでいる：
−  固定ヘッドは、包括的に切頂双円錐形の形状を有する；
−  ヘッドは、可動刃を前記ヘッドの前面および背面に対し押圧する唯一のバネを含んでいる；
−  固定刃は、その前面の中央に１つの開口部を含む； 
−  固定刃は、その前面の中央に１つの開口部を含み、かつ駆動用シリンダはその側面上に１つの開口部を含む； 
−  固定刃の毛の進入用スリットは、半径方向と前記シェービングヘッドの回転軸との関係において一定のカット角度を形成している；
−  固定刃の毛の進入用スリットは、前面と背面の間で側面を通って中断無く延在している。
【図面の簡単な説明】
【００１６】
【図１】技術的現状にしたがったＴＮＯの使用可能性を概略的に表わしている。固定ヘッドの背面上に毛の進入スリットが無いことから、厳密にこの場合において鼻孔内のシェービングヘッドの進入方向で毛をトリミングすることができない。前面上のスリットだけでは、シェービングヘッドは、鼻孔から引抜きながら毛を捕捉することは全くできず、そのためトリミングの効率は低減される。したがってこの使用様式は、生えている向きに逆らったカットを優先し、このカットは毛が腔の内部に向かって傾斜している場合有効でない。
【図２】本発明に係るＴＮＯの使用可能性を概略的に表わす。シェービングヘッドの背面上に毛の進入スリットが補足的に存在することにより、鼻孔内への進入方向と同様、引抜き方向においても毛をトリミングすることができる。したがってシェービングヘッドは、腔内を上昇する毛を起こすことにより鼻孔から引抜かれるときにも毛を捕捉することができ、これによりトリミングの効率は増大する。
【図３】耳および鼻のための本発明に係るＴＮＯの使用可能性を表わす。本発明に係るＴＮＯは、孔からの引抜き方向においても進入方向と同様にうまくシェービングする。
【図４】耳および鼻のための本発明に係るＴＮＯの使用可能性を表わす。本発明に係るＴＮＯは、孔からの引抜き方向においても進入方向と同様にうまくシェービングする。
【図５】本発明に係るＴＮＯのヘッドの一実施形態の断面図を表わす。
【図６】ヘッドの内部にある要素の配置ならびに進入方向でヘッドの前面、側面および背面上に同時に存在する進入用スリットを示す、外部断面図を伴う立体図を表わす。この実施形態において、ヘッドは包括的に、切頂双円錐形の形状をとる。
【図７】本発明の一実施形態に係るＴＮＯの、構成要素を伴うヘッドの分野組立図を表わす。バネは、可動刃を、固定刃の前面および背面に対して押圧する。
【図８】本発明に係るＴＮＯの固定刃の正面図と平面図を表わす。
【図９】本発明に係るＴＮＯの、モーターおよび充電式バッテリまたは電池を内蔵するそのグリップを伴う一実施形態の３Ｄ全体図を表わす。グリップは異なる形状をとり得、その形状は、把持を実際に考慮することによってのみ限定される。
【図１０】本発明に係るＴＮＯのシェービングヘッドの非限定的アセンブリを表わす。これらのヘッドは全て、固定刃上に、シェービングすべき孔内への進入方向においてヘッドの前方部分および側方部分上だけでなく背面上にも進入用スリットを有するという特徴をもつ。
【図１１】固定刃の中央にある開口部が水による洗い流しを容易にしている、本発明に係るもう１つの実施形態を表わす。
【図１２】図１１の実施形態と同じ実施形態であるが、この場合、可動刃の駆動シリンダ上の補足的開口部が、洗い流し用水の通過を可能にしている。
【発明を実施するための形態】
【００１７】
本発明の源は、技術的現状の鼻耳クリッパー（ＴＮＯ）が、関係する孔の中へのシェービングヘッドの進入方向においてしか鼻および耳の毛をシェービングしないという確認事実にある。これは、きわめて単純に、固定刃内への毛の進入用のスリットがヘッドの全ての側に存在しないことに起因している。技術的現状のＴＮＯのシェービングヘッド上では、進入用スリットは概して前方側、すなわち、クリッピングすべき腔内への進入方向におけるヘッドの前面に位置し、スリットは概して、図１に表わされている通り、わずかにしか側面上にはみ出していない。
【００１８】
シェービング効率を高めるために、本発明は、固定刃の面全体の上、したがって背面上にも毛の進入用スリットを有するシェービングヘッドを伴うＴＮＯを提案しており、こうして、シェービング効率を著しく増大させかつ、同じ結果を得るための往復運動回数を制限することが可能になる。
【００１９】
図１０は、本発明の主要な特徴に対応するＴＮＯのシェービングヘッドの非限定的アセンブリを表わす。前面、側面および背面の大部分の上に毛の進入用スリットが存在することで、ヘッドの清浄のための可動刃に対する洗い流し用水のアクセス性も同様に増大する。
【００２０】
好ましくは、固定刃５の毛の進入用スリット７は、前面２と背面４の間で側面３を通過して中断無く延在している。したがってスリットは、前面２、側面３および背面４のスリット間の偶発的ずれによって中断されず、こうしてこれらのスリットは櫛のように機能することができ、これこそが求められている効果である。
【００２１】
ヘッドの清浄簡易度をさらに改善するためには、固定刃５の中央部分のドーム上に開口部１２を設けること、さらには固定刃を駆動用シリンダ１３上の補足的開口部に結びつけて、洗い流しの際の装置を通した水流束を確保することさえ可能である。
【００２２】
可動刃６は、固定刃が双円錐形の形状を有する場合、固定刃５の内部壁に対し、唯一のバネ８により押圧される。技術的現状の固定刃は概して、回転軸の方向での押圧力のために１つそして回転軸に直交する方向での押圧力のために１つの、計２個のバネを必要とする。
【００２３】
固定刃５の毛の進入用スリット内に可動刃が進入するのを回避するため、これらのスリットは、シェービングヘッドの半径方向と一定のカット角度を形成する。カットの改善のため、これらのスリットは、同様に、前記シェービングヘッドの回転軸に対して一定の角度を形成する。
【００２４】
本発明に係る装置に、処理すべき孔を照明するための１つまたは複数の発光電極を具備することができる。
【符号の説明】
【００２５】
１    ＴＮＯのシェービングヘッド
２    ＴＮＯのヘッドの前面（ヘッドの前方部分）
３    ＴＮＯのヘッドの側面
４    ＴＮＯのヘッドの背面
５    固定刃
６    可動刃
７    毛の進入用スリット
８    バネ
９    グリップ
１０    駆動用シリンダ
１１    可動刃の維持装置
１２    固定刃上の開口部
１３    駆動用シリンダ上の開口部
【図１】
2018161480.tif 000003
【図２】
2018161480.tif 000004
【図３】
2018161480.tif 000005
【図４】
2018161480.tif 000006
【図５】
2018161480.tif 000007
【図６】
2018161480.tif 000008
【図７】
2018161480.tif 000009
【図８】
2018161480.tif 000010
【図９】
2018161480.tif 000011
【図１０】
2018161480.tif 000012
【図１１】
2018161480.tif 000013
【図１２】
2018161480.tif 000014
【外国語明細書】
2018161480000001.pdf